(57)【要約】【課題】高さ調節部材を所定高さ位置に正確に位置決めすることのできるスクリュージャッキを提供する。【解決手段】スクリュージャッキ（１０）は、基台（２０）と高さ調節部材（３０）とロックナット部材（４０）とを備える。基台は、上下方向に延びる穴壁に雌ねじを有し、ベース面上に置かれる。高さ調節部材は、雌ねじに螺合する雄ねじを表面に持つねじ軸（３１）と、ねじ軸の上端部に設けられ対象物に下から当接する当接部（３２）とを有し、基台に高さ調節可能に支持される。ロックナット部材は、ねじ軸に螺合し、高さ調節部材の高さを調節した後に高さ調節部材を基台に対して固定する。基台は、雌ねじの穴壁を横切る切欠き部（２２）を有する。切欠き部は、下方に向く天井壁（２５）を有する。ロックナット部材は、切欠き部内に位置し、高さ調節部材を基台に対して固定する際には、天井壁に近づく方向に回転操作されるものである。【選択図】図４
2015166274.tif 000002
【特許請求の範囲】
【請求項１】
対象物をベース面から所定高さに維持するためのスクリュージャッキであって、
上下方向に延びる穴壁に雌ねじを有し、前記ベース面上に置かれる基台と、
前記雌ねじに螺合する雄ねじを表面に持つねじ軸と、前記ねじ軸の上端部に設けられ前記対象物に下から当接する当接部とを有し、前記基台に高さ調節可能に支持される高さ調節部材と、
前記ねじ軸に螺合し、前記高さ調節部材の高さを調節した後に前記高さ調節部材を前記基台に対して固定するためのロックナット部材とを備え、
前記基台は、前記雌ねじの穴壁を横切る切欠き部を有し、
前記切欠き部は、下方に向く天井壁を有し、
前記ロックナット部材は、前記切欠き部内に位置し、前記高さ調節部材を前記基台に対して固定する際には、前記天井壁に近づく方向に回転操作されるものである、スクリュージャッキ。
【請求項２】
前記ロックナット部材は、前記切欠きから突出して延びる操作レバーを備える、請求項１に記載のスクリュージャッキ。
【請求項３】
前記高さ調節部材は、前記ねじ軸を回転操作するために、前記ねじ軸の上方部分に固定して設けられた円盤状の回転操作部を有する、請求項１または２に記載のスクリュージャッキ。
【請求項４】
前記ねじ軸は、上方移動量の限界位置を目視できるようにするためのマークを有している、請求項１〜３のいずれかに記載のスクリュージャッキ。
【発明の詳細な説明】
【技術分野】
【０００１】
この発明は、対象物をベース面から所定高さに維持するためのスクリュージャッキに関するものである。スクリュージャッキは、例えば、工作機械や測定機器等での対象物の位置決め、戸外の現場作業での対象物の位置決め等に使用される。
【背景技術】
【０００２】
実開平５−７８４３９号公報（特許文献１）は、マシニングセンター等での加工作業においてスクリュージャッキを使用することを開示している。特開平１０−１０１２９６号公報（特許文献２）は、型枠、足場、せき板などを解体する現場作業時にスクリュージャッキを使用することを開示している。特許第２９０２１０３号公報（特許文献３）は、テーブル上にセンサや工作物等を固定するためにスクリュージャッキを使用することを開示している。
【０００３】
図６は、従来の典型的なスクリュージャッキを示している。スクリュージャッキ１は、対象物２をベース面３から所定高さに維持するものであり、基台４と、高さ調節部材５と、ロックナット６とを備える。
【０００４】
基台４は、上下方向に延びる穴壁に雌ねじを有し、その底面がベース面３上に置かれる。高さ調節部材５は、基台４の雌ねじに螺合する雄ねじを表面に持つねじ軸５ａと、ねじ軸５ａの上端部に設けられ対象物２に下から当接する当接部５ｂとを有し、基台４に高さ調節可能に支持されている。ロックナット６は、ねじ軸５ａに螺合し、高さ調節部材５の高さを調節した後に高さ調節部材５を基台４に対して固定するためのものである。
【先行技術文献】
【特許文献】
【０００５】
【特許文献１】実開平５−７８４３９号公報
【特許文献２】特開平１０−１０１２９６号公報
【特許文献３】特許第２９０２１０３号公報
【発明の概要】
【発明が解決しようとする課題】
【０００６】
従来のスクリュージャッキ１では、高さ調節部材５を反時計回りに回転操作すれば当接部５ｂが上方に移動し、時計回りに回転操作すれば当接部５ｂが下方に移動する。当接部５ｂを所定の高さにまで移動させた後に、基台４の上面に位置するロックナット６を時計回りに回転操作すれば、高さ調節部材５が基台４に対して固定される。
【０００７】
上記の構成の従来のスクリュージャッキにおける問題点は、高さ調節部材５の高さを調節した後にロックナット６を締付けると、高さ調節部材５が僅かに上方に移動してしまうことである。そのため、対象物２の高さ位置が、調節後の位置から僅かに上方にずれてしまう。この現象をより詳しく説明する。
【０００８】
図７は、高さ調節部材５のねじ軸５ａ、基台４およびロックナット６の螺合部分を模式的に示した図である。図７（ａ）はロックナット６を締付ける前の状態を示し、図７（ｂ）はロックナット６を締付けた後の状態を示している。
【０００９】
図７（ａ）に示すように、ねじ軸５ａの雄ねじと、基台４およびロックナット６の雌ねじとの間には、僅かなクリアランスが存在する。雄ねじ及び雌ねじの一つのねじ山は、頂点を境にして上向き傾斜面と下向き傾斜面とを有する。高さ調節部材５を上方に移動させる場合には高さ調節部材５のねじ軸５ａを反時計方向に回転させるが、その際に、ねじ軸５ａの雄ねじの下向き傾斜面が基台４の上向き傾斜面に当接した状態となる。そのため、ねじ軸５ａの雄ねじの上向き傾斜面と基台４の雌ねじの下向き傾斜面との間にクリアランス量に相当するすき間Ｃが生じる。
【００１０】
高さ調節部材５を所定の高さに移動させた後に、ロックナット６を時計方向に回転させて高さ調節部材５を基台４に対して固定する操作を行うと、図７（ｂ）に示すように、ねじ軸５ａには上方に押し上げる力Ｆ１が作用する。その結果、ロックナット６の雌ねじの下向き傾斜面とねじ軸５ａの上向き傾斜面とのすき間をなくすように、ねじ軸５ａが微小高さｔだけ上方に移動してしまう。そのため、最終的に、高さ調節部材５を所定高さに正確に位置決めすることが困難である。
【００１１】
この発明の目的は、高さ調節部材を所定高さに正確に位置決めすることのできるスクリュージャッキを提供することである。
【課題を解決するための手段】
【００１２】
この発明に従ったスクリュージャッキは、対象物をベース面から所定高さに維持するためのものであって、基台と、高さ調節部材と、ロックナット部材とを備える。基台は、上下方向に延びる穴壁に雌ねじを有し、その底面がベース面上に置かれる。高さ調節部材は、雌ねじに螺合する雄ねじを表面に持つねじ軸と、ねじ軸の上端部に設けられ対象物に下から当接する当接部とを有し、基台に高さ調節可能に支持される。ロックナット部材は、ねじ軸に螺合し、高さ調節部材の高さを調節した後に高さ調節部材を基台に対して固定するためのものである。基台は、雌ねじの穴壁を横切る切欠き部を有する。切欠き部は、下方に向く天井壁を有する。ロックナット部材は、切欠き部内に位置し、高さ調節部材を基台に対して固定する際には、天井壁に近づく方向に回転操作されるものである。
【００１３】
好ましくは、ロックナット部材は、切欠きから突出して延びる操作レバーを備える。さらに好ましくは、高さ調節部材は、ねじ軸を回転操作するために、ねじ軸の上方部分に固定して設けられた円盤状の回転操作部を有する。一つの実施形態では、ねじ軸は、上方移動量の限界位置を目視できるようにするためのマークを有している。
【発明の効果】
【００１４】
上記構成の本発明によれば、高さ調節部材を基台に対して固定するためのロックナット部材の回転操作により、ねじ軸には下方に向く引下げ力が作用するが、ねじ軸の雄ねじの下向き傾斜面と基台の雌ねじの上向き傾斜面とは既に当接状態になっているので、ねじ軸の高さ方向位置に変化は生じない。したがって、高さ調節部材を所定高さに正確に位置決めすることができる。
【図面の簡単な説明】
【００１５】
【図１】本発明の一実施形態に係るスクリュージャッキを示す図である。
【図２】図１のＩＩ−ＩＩに沿って見た断面図である。
【図３】図１の線ＩＩＩ−ＩＩＩに沿って見た断面図である。
【図４】スクリュージャッキの縦断面図である。
【図５】スクリュージャッキのねじの螺合部分を模式的に示す図である。
【図６】従来のスクリュージャッキを示す図である。
【図７】従来のスクリュージャッキのねじの螺合部分を模式的に示す図であり、（ａ）はロックナットを締付ける前の状態を示し、（ｂ）はロックナットを締付けた後の状態を示している。
【発明を実施するための形態】
【００１６】
図１〜図５を参照して、本発明の一実施形態に係るスクリュージャッキの構成を説明する。スクリュージャッキ１０は、対象物をベース面から所定高さに維持するためのものであり、基本的な構成要素として、基台２０と、高さ調節部材３０と、ロックナット部材４０とを備える。
【００１７】
基台２０は、その底面がベース面上に置かれるものであり、全体としてほぼ円柱形状を有している。基台２０の中心軸線に沿って中心穴２１が形成されており、中心穴２１の穴壁には雌ねじが形成されている。図３および図４から明らかなように、基台２０は、雌ねじを形成している中心穴壁を横切る切欠き部２２を有している。
【００１８】
図示した実施形態では、基台２０は、ベース面上に置かれる本体部２３と、本体部２３の上面に固定して取り付けられる蓋部２４とを備える。蓋部２４は、後述するロックナット部材４を所定位置に装着した後に、本体部２３にねじ等を介して固定される。切欠き部２２は、本体部２３の上部外周面から径方向内方に向かって延びる。切欠き部２２の円周方向の広がりは、後述するロックナット部材４０の操作レバーの回動範囲を許容する程度であればよい。本体部２３の上面に固定される蓋部２４は、切欠き部２２を上方から覆う。したがって、切欠き部２２の天井壁は、蓋部２４の底面によって形成される。基台２０の中心穴の雌ねじは、本体部２３および蓋部２４の両者に形成されている。
【００１９】
高さ調節部材３０は、基台２０の雌ねじに螺合する雄ねじを表面に持つねじ軸３１と、ねじ軸３１の上端部に設けられ対象物に下から当接する当接部３２とを有しており、基台２０に高さ調節可能に支持されている。図示した実施形態では、高さ調節部材３０は、ねじ軸３１を回転操作するために、ねじ軸３１の上方部分に固定して設けられた円盤状の回転操作部３３を備える。回転操作を容易に行うために、回転操作部３３の外周面には、ローレット加工が施されている。図示した実施形態では、当接部３２は球面状の凸面となっているが、平坦な面であってもよい。また、当接部３２の強度を高めるために、好ましくは、当接部３２は焼き入れ処理によって硬化されている。
【００２０】
スクリュージャッキ１０を上方から見下ろした方向で見て、高さ調節部材３０を時計方向に回転させると、高さ調節部材３０のねじ軸３１が基台２０内を下方に移動し、当接部３２が下降する。逆に、高さ調節部材３０を反時計方向に回転させると、高さ調節部材３０のねじ軸３１が基台２０内を上方に移動し、当接部３２が上昇する。図示した好ましい実施形態では、ねじ軸３１は、上方移動量の限界位置を目視できるようにするためのマーク３４を有している。マーク３４は目視できるものであればどのようなものでも良く、ねじ軸の外周面の所定位置をリング状に着色したものでも良い、このマーク３４が基台２０の上面から露出した位置が、ねじ軸３１の上方移動の限界である。
【００２１】
図３および図４に示すように、ロックナット部材４０は、高さ調節部材３０のねじ軸３１に螺合する雌ねじをもつナット部４１と、このナット部４１の外周面から径方向に突出して延びる操作レバー４２とを備える。ロックナット部材４０のナット部４１は、基台２０の切欠き部２２内に位置し、操作レバー４２は、切欠き部２２から突出して延びている。
【００２２】
スクリュージャッキ１０の組み立て手順の一例は、以下の通りである。まず、基台２０の蓋部２４を本体部２３に固定する。次に、ロックナット部材４０のナット部４１を基台２０の切欠き部２２内に位置させ、さらにワッシャ５０をナット部４１の上に置く。その状態で、高さ調節部材３０のねじ軸３１を本体部２３、ロックナット部材４０のナット部４１および蓋部２４に螺合させる。ここに記載した組み立て手順は例示的に記載した一例であるので、他の順序で組み立ててもよい。
【００２３】
図示したスクリュージャッキ１０を使用する際に、工具を必要としない。具体的には、スクリュージャッキ１０の使用方法は、以下の通りである。まず、ベース面と対象物との間にスクリュージャッキ１０を置く。そして、スクリュージャッキ１０を上方から見下ろした方向で見て、高さ調節部材３０の回転操作部３３を反時計方向に回転操作して、当接部３２を対象物の底面に当接させ、対象物を所定の高さとなるように調整する。
【００２４】
対象物が所定の高さになったら、ロックナット部材４０の操作レバー４２を、上方から見下ろした方向で見て、反時計方向に回転させて、高さ調節部材３０を基台２０に対して固定する。ロックナット部材４０の反時計方向の回転は、高さ調節部材３０のねじ軸３１が静止して動かない状態であると仮定すると、ロックナット部材４０を基台２０の天井壁２５に近づく方向に付勢する。最終的には、ロックナット部材４０は、基台２０の天井壁２５、厳密には、ワッシャ５０に強く圧接した状態で固定されるので、高さ調節部材３０のねじ軸３１には、下方に引き下げる力が作用する。
【００２５】
上記の動作原理を図５を用いて説明する。高さ調節部材３０を所定高さまで上昇させる場合には、ねじ軸３１を反時計方向に回転させる。すると、ねじ軸３１の下向き傾斜面が基台２０の雌ねじの上向き傾斜面に当接した状態で、ねじ軸３１が上方に移動する。高さ調節部材３０が所定高さになったら、ロックナット部材４０の操作レバー４２を上から見下ろした方向で見て反時計方向に回転させて、ロックする。この際、ねじ軸３１には下方に向く力Ｆ２が作用するが、ねじ軸３１の下向き傾斜面と基台２０の雌ねじの上向き傾斜面とが既に当接した状態にあるので、ねじ軸３１は下降せず、調整した高さ位置のままで固定される。
【００２６】
ロックナット部材４０のロックを解除する場合には、ロックナット部材４０の操作レバーを上から見下ろした方向で見て時計方向に回転させればよい。
【００２７】
以上の説明から明らかなように、本発明の実施形態に係るスクリュージャッキによれば、高さ調節部材を所定高さに正確に位置決めすることができる。
【００２８】
図示した実施形態では、使用に際して工具を不要とするために、高さ調節部材３０に回転操作部３３を設け、ロックナット部材４０に操作レバー４２を設けた。しかしながら、工具の使用を厭わないのであれば、高さ調節部材を六角ボルトで構成し、ロックナット部材を六角ナットで構成してもよい。
【００２９】
以上、図面を参照して本発明の実施形態を説明したが、本発明は図示した実施形態に限定されるものではなく、本発明と同一の範囲内または均等の範囲内において種々の修正や変形が可能である。
【産業上の利用可能性】
【００３０】
本発明は、対象物を正確に所定高さに位置決めすることのできるスクリュージャッキとして有利に利用され得る。
【符号の説明】
【００３１】
１  スクリュージャッキ、２  対象物、３  ベース面、４  基台、５  高さ調節部材、５ａ  ねじ軸、５ｂ  当接部、６  ロックナット、１０  スクリュージャッキ、２０  基台、２１  中心穴、２２  切欠き部、２３  本体部、２４  蓋部、２５  天井壁、３０  高さ調節部材、３１  ねじ軸、３２  当接部、３３  回転操作部、３４  マーク、４０  ロックナット部材、４１  ナット部、４２  操作レバー、５０  ワッシャ。
【図１】
2015166274.tif 000003
【図２】
2015166274.tif 000004
【図３】
2015166274.tif 000005
【図４】
2015166274.tif 000006
【図５】
2015166274.tif 000007
【図６】
2015166274.tif 000008
【図７】
2015166274.tif 000009